(57)【要約】【課題】生地の伸縮性や通気性を確保しながら、遠赤外線放射量を増加させることができる帽子及びその製造方法を提供する。【解決手段】ヘヤーキャップ１は、２重にした生地で構成される側部１０と頂部２０からなる帽体２を備え、２重にした生地のうち、互いに対向する内側の表面にそれぞれ、体温で遠赤外線を放射する粉末を含有する複数の遠赤外線放射体３０が所定のパターンで付着されている。【選択図】図１
2017115261.tif 000002
【特許請求の範囲】
【請求項１】
２重にした生地で構成される帽体を備え、
前記２重にした生地のうち、互いに対向する内側の表面にそれぞれ、体温で遠赤外線を放射する粉末を含有する複数の遠赤外線放射体が所定のパターンで付着されている帽子。
【請求項２】
前記帽体は、両端が開口する筒状の側部と、前記側部の一方の開口を閉じる頂部と、を備え、
前記側部と前記頂部はそれぞれ、前記２重にした生地で構成され、
前記側部と前記頂部のいずれか一方または両方において、前記２重にした生地のうち、互いに対向する内側の表面にそれぞれ、前記複数の遠赤外線放射体が所定のパターンで付着されている請求項１に記載の帽子。
【請求項３】
頭部に装着する帽体を備えた帽子の製造方法であって、
体温で遠赤外線を放射する粉末を含有する複数の遠赤外線放射体が所定のパターンで付着された長手方向に長尺な矩形の第１生地を、前記所定のパターンが付着された表面を外側に向けて、一部に返し口が形成されるように長手方向の縁部同士を縫着することによって、両端が開口した筒状にし、
前記複数の遠赤外線放射体が所定のパターンで付着された２枚の第２生地をそれぞれ、前記所定のパターンが付着された表面を外側に向けて、前記筒状の第１生地における両端の開口を閉じるように前記開口の周縁部に縫着することによって、袋体を形成し、
前記所定のパターンが付着された表面が内側になるように、前記第１生地と前記２枚の第２生地を前記返し口からひっくり返し、
前記２枚の第２生地が内側同士で重なるように、前記第１生地の筒状の中間部位で折り重ねることによって、前記帽体を形成する工程を含む帽子の製造方法。
【発明の詳細な説明】
【技術分野】
【０００１】
本発明は、遠赤外線を放射する粉末材を付着した生地から成る帽子及びその製造方法に関する。
【背景技術】
【０００２】
遠赤外線には、人体への温熱効果や治癒力強化の効能があるため、遠赤外線を放射する材料を利用した被服などが開発されている。このような遠赤外線を放射する粉末としては、アルミナやシリカを主成分とするセラミックの他、海草類などの炭化粉末が知られている。
【０００３】
例えば特許文献１には、通気性を有する織布からなる第１の生地に、海草類や貝殻類を炭化した粉末と接着剤とを混ぜ合わせた炭化粉末を水玉模様でパターン印刷した積層生地が開示されている。特許文献１の積層生地は、第１の生地の片面に炭化粉末を印刷して、その印刷面を通気性を有する織布からなる第２の生地で被覆することで、炭化粉末が直接肌に触れないようにした育毛促進用帽子である。
【先行技術文献】
【特許文献】
【０００４】
【特許文献１】特開平９−２０６３８９号公報
【発明の概要】
【発明が解決しようとする課題】
【０００５】
特許文献１に記載の育毛促進用帽子によると、第１の生地の片面だけにしか粉末が印刷されていないので、粉末のパターンの水玉を大きくするなど、第１の生地の印刷面に占める粉末の面積の割合を増やすことで、遠赤外線による効果を高めることができる。ところが、粉末が印刷された部分は、印刷されていない部分に比較して伸縮性が悪く、通気性も悪くなるので、第１の生地の印刷面に対して粉末の面積が占める割合が増えるほど、帽子自体の伸縮性や通気性が悪くなってしまい、装着感が著しく悪化する。
【０００６】
そのため、本発明の目的は、生地の伸縮性や通気性を確保しながら、遠赤外線放射量を増加させることができる帽子及びその製造方法を提供することにある。
【課題を解決するための手段】
【０００７】
［１］２重にした生地で構成される帽体を備え、前記２重にした生地のうち、互いに対向する内側の表面にそれぞれ、体温で遠赤外線を放射する粉末を含有する複数の遠赤外線放射体が所定のパターンで付着されている帽子。
［２］前記帽体は、両端が開口する筒状の側部と、前記側部の一方の開口を閉じる頂部と、を備え、前記側部と前記頂部はそれぞれ、前記２重にした生地で構成され、前記側部と前記頂部のいずれか一方または両方において、前記２重にした生地のうち、互いに対向する内側の表面にそれぞれ、前記複数の遠赤外線放射体が所定のパターンで付着されている前記［１］に記載の帽子。
［３］頭部に装着する帽体を備えたヘアーキャップの製造方法であって、体温で遠赤外線を放射する粉末を含有する複数の遠赤外線放射体が所定のパターンで付着された長手方向に長尺な矩形の第１生地を、前記所定のパターンが付着された表面を外側に向けて、一部に返し口が形成されるように長手方向の縁部同士を縫着することによって、両端が開口した筒状にし、前記複数の遠赤外線放射体が所定のパターンで付着された２枚の第２生地をそれぞれ、前記所定のパターンが付着された表面を外側に向けて、前記筒状の第１生地における両端の開口を閉じるように前記開口の周縁部に縫着することによって、袋体を形成し、前記所定のパターンが付着された表面が内側になるように、前記第１生地と前記２枚の第２生地を前記返し口からひっくり返し、前記２枚の第２生地が内側同士で重なるように、前記第１生地の筒状の中間部位で折り重ねることによって、前記帽体を形成する工程を含む帽子の製造方法。
【図面の簡単な説明】
【０００８】
【図１】図１は、本発明の実施の形態に係るヘアーキャップの頭部への装着状態を示す側面図である。
【図２】図２（ａ）、（ｂ）は、ヘアーキャップを構成する生地の構成例を説明するための平面図である。
【図３】図３（ａ）、（ｂ）は、ヘアーキャップの製造方法の工程を説明するための図である。
【図４】図４（ｃ）、（ｄ）は、図３に続くヘアーキャップの製造方法の工程を説明するための図である。
【図５】図５（ｅ）、（ｆ）は、図４に続くヘアーキャップの製造方法の工程を説明するための図である。
【図６】図６は、図５（ｅ）に示すVI-VI断面図である。
【図７】図７は、図５（ｆ）に示すVII-VII断面図である。
【図８】図８は、本実施の形態に係るヘアーキャップの変形例を示す断面図である。
【図９】図９は、本実施の形態に係るヘアーキャップの他の変形例を示す断面図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
この帽子は、２重にした生地で構成される帽体を備え、２重にした生地のうち、互いに対向する内側の表面にそれぞれ、体温で遠赤外線を放射する粉末を含有する複数の遠赤外線放射体が所定のパターンで付着されている。
【００１１】
この帽子によれば、２重にした生地のうち、互いに対向する内側の表面にそれぞれ、体温で遠赤外線を放射する粉末を含有する複数の遠赤外線放射体が所定のパターンで付着されているので、互いに対向する内側の表面の一方だけに遠赤外線放射体を付着する場合に比較して、遠赤外線放射体の面積の総和を増大できるので、遠赤外線放射量を大幅に増加させることができる。しかも、生地の面積に対する遠赤外線放射体の面積の割合を増やさなくても、遠赤外線放射体の面積の総和を増やすことができるので、帽子の伸縮性や通気性を確保しながら、遠赤外線放射量を増加させることができる。
【００１２】
上記態様において、帽体は、両端が開口する筒状の側部と、側部の一方の開口を閉じる頂部と、を備え、側部と頂部はそれぞれ、２重にした生地で構成され、側部と頂部のいずれか一方または両方において、２重にした生地のうち、互いに対向する内側の表面にそれぞれ、遠赤外線放射体が所定のパターンで付着されている。これによれば、側部と頭部のいずれかを部分的に、または全体的に遠赤外線放射体の面積の総和を増加させることができる。
【００１３】
また、この帽子の製造方法は、頭部に装着する帽体を備えた帽子の製造方法であって、体温で遠赤外線を放射する粉末を含有する複数の遠赤外線放射体が所定のパターンで付着された長手方向に長尺な矩形の第１生地を、所定のパターンが付着された表面を外側に向けて、一部に返し口が形成されるように長手方向の縁部同士を縫着することによって、両端が開口した筒状にし、複数の遠赤外線放射体が所定のパターンで付着された２枚の第２生地をそれぞれ、所定のパターンが付着された表面を外側に向けて、筒状の第１生地における両端の開口を閉じるように開口の周縁部に縫着することによって、袋体を形成し、所定のパターンが付着された表面が内側になるように、第１生地と２枚の第２生地を前記返し口からひっくり返し、２枚の第２生地が内側同士で重なるように、第１生地の筒状の中間部位で折り重ねることによって、帽体を形成することで、帽子を製造するものである。
【００１４】
上記帽子の製造方法によれば、２重にした生地のうち、互いに対向する内側の表面にそれぞれ、体温で遠赤外線を放射する遠赤外線放射体が所定のパターンで付着された帽子を製造することができる。こうして製造された帽子によれば、生地の面積に対する遠赤外線放射体の面積の割合を増やさなくても、遠赤外線放射体の面積の総和を増やすことができるので、帽子の伸縮性や通気性を確保しながら、遠赤外線放射量を増加させることができる。さらに、本実施の形態に係る帽子の製造方法によれば、表側の表面にも裏側の表面にも縫い代が出ないため、リバーシブルにすることも可能である。しかも、遠赤外線放射体が所定のパターンはすべて、２重の生地の内側に配置されるので、表側の表面にも裏側の表面にも遠赤外線放射体が露出することはない。そのため、帽子をリバーシブルとしても、頭部に装着したときに、遠赤外線放射体が頭被に直接触れることはない。
【００１５】
［実施の形態］
図１は、本発明の実施の形態に係るヘアーキャップの頭部への装着状態を示す側面図である。
【００１６】
図１に示すヘアーキャップ１は、例えばナイトキャップとして頭部に装着される伸縮性のある帽子である。ここで、ヘアーキャップ１は、帽子の一例である。
【００１７】
図１に示すように、本実施の形態に係るヘアーキャップ１は、両端が開口する筒状の側部１０と頂部２０からなる帽体２を備える。頂部２０は、側部１０の一端側の開口を閉じるように縫い付けられている。側部１０と頂部２０はそれぞれ、伸縮性のある生地を２重にして構成されている。２重にした生地のうち、互いに対向する内側の表面にそれぞれ、体温で遠赤外線を放射する粉末を含有する複数の遠赤外線放射体３０がドットパターンで付着されている。
【００１８】
（遠赤外線放射体の構成）
遠赤外線放射体３０は、例えば、遠赤外線を放射する粉末（以下、「遠赤外線粉末」ともいう。）を接着剤と混合して液体にし、この液体を生地の表面にドットパターン状に印刷（スクリーン印刷）することによって、遠赤外線粉末を生地に付着させる。
【００１９】
遠赤外線粉末としては、例えば天然の海藻類（昆布、ワカメ、アラメ、ホンダワラ等）、天然の海産殻（海鞘の殻、貝殻、ウニの殻等）、天然の海草類などを焼却処理して炭化微粉末化したものが挙げられる。これらの炭化微粉末からは、体温で遠赤外線が放射されて、外部熱源が無くても体温による遠赤効果が得られる。また、このような遠赤外線放射による温熱効果の他、脱臭効果や人の自然治癒力を活性化する波動放射効果がある。
【００２０】
なお、遠赤外線粉末は、上記のものに限られるのものではない。例えば、アルミナやシリカを主成分とするセラミックを粉末にしたものを用いてもよい。また、本実施の形態では、遠赤外線放射体３０を、パターン印刷により生地の表面に付着させた場合を例示したが、これに限られるものではない。例えばシール状の遠赤外線放射体３０を貼付したり、縫着したりすることで、生地に付着させてもよい。
【００２１】
（生地の構成）
図２（ａ）、（ｂ）は、ヘアーキャップ１を構成する生地の構成例を説明するための平面図である。図２（ａ）は、ヘアーキャップ１の側部１０を形成するための第１生地１０ａの裏面を示す平面図であり、図２（ｂ）は、ヘアーキャップ１の頂部２０を形成するための２枚の第２生地２０ａ、２０ｂの裏面を示す平面図である。
【００２２】
図２（ａ）に示す側部１０の第１生地１０ａは、長手方向に長尺な矩形である。完成したヘアーキャップ１において、第１生地１０ａは、長手方向の両端の縁部１２ａ、１２ｂが縫着され、中心を通り長手方向に沿うＧ−Ｇ線で折り曲げられて、Ｇ−Ｇ線よりも上側の第１部分Ｓａと下側の第２部分Ｓｂが重なり合うことによって、筒状の側部１０が形成される。
【００２３】
図２（ａ）に示す頂部２０の第２生地２０ａ、２０ｂは円形である。完成したヘアーキャップ１において、平面視において互いに重なり合うように、第２生地２０ａ、２０ｂの周縁部２２ａ、２２ｂがそれぞれ、筒状の側部１０の両方の開口する縁部１４ａ、１４ｂに縫着されることによって、頂部２０が形成される。
【００２４】
なお、側部１０の第１生地１０ａ及び頂部２０の第２生地２０ａ、２０ｂとしては、例えばオーガニックコットンなどのニット（編み物）の生地を用いる。ニットの生地を用いることで、織物を用いる場合に比較して、より伸縮性の高いヘアーキャップ１を形成できる。
【００２５】
側部１０の第１生地１０ａ及び頂部２０の第２生地２０ａ、２０ｂの裏にはそれぞれ、複数の遠赤外線放射体３０からなるドットパターンが印刷されている。このドットパターンは、円形のドットを格子状に並べたものである。なお、ドットの形状は円形に限られるものではなく、四角形や六角形などの多角形や他の形状でもよい。なお、側部１０の第１生地１０ａ及び頂部２０の第２生地２０ａ、２０ｂの表には、複数の遠赤外線放射体３０によるドットパターンが印刷されていない。
【００２６】
側部１０の第１生地１０ａのドットパターンは、Ｇ−Ｇ線よりも上側の第１部分Ｓａと下側の第２部分Ｓｂにそれぞれ形成されている。第１生地１０ａは、Ｇ−Ｇ線で折り曲げられて、ドットパターンが形成されている第１部分Ｓａの裏と第２部分Ｓｂの裏が重ねられる。また、側部１０の第１生地１０ａにおいて、第１部分Ｓａと第２部分Ｓｂのドットパターンは、Ｇ−Ｇ線を軸として線対称になるように配置されている。このようにドットパターンを配置することで、第１部分Ｓａと第２部分Ｓｂとが重ねられたときに、第１部分Ｓａと第２部分Ｓｂのドットパターン全体が平面視において互いに重なる。すなわち、ドットパターンのドット全面が平面視において互いに重なる。
【００２７】
頂部２０の第２生地２０ａと第２生地２０ｂのドットパターンはそれぞれ、裏だけに形成されている。ドットパターンが形成されている第２生地２０ａの裏と第２生地２０ｂの裏が重ねられる。また、第２生地２０ａと第２生地２０ｂのドットパターンは、重ねられたときに、平面視において重なるように配置されている。すなわち、頂部２０においても、ドットパターンのドット全面が平面視において互いに重なる。
【００２８】
（ヘアーキャップの製造方法の具体例）
次に、ヘアーキャップ１を製造する方法の具体例について図面を参照して説明する。ここでは、図２（ａ）及び（ｂ）に示す生地１０ａ、２０ａ、２０ｂを用いて、袋縫いによってヘアーキャップ１を製造する方法を例に挙げる。図３〜図５の（ａ）〜（ｆ）は、ヘアーキャップ１の製造方法の工程図である。図３〜図５の（ａ）〜（ｆ）はこの順で連続する工程である。以下、各工程について具体的に説明する。
【００２９】
（１）側部の第１生地を筒状にする工程
図３（ａ）は、側部１０の第１生地１０ａを筒状にする工程である。具体的には、図２（ａ）に示す側部１０の第１生地１０ａの裏である遠赤外線放射体３０のドットパターンの印刷面を外側にして、長手方向の両方の縁部１２ａ、１２ｂを、縫い代をとって縫着することによって、上下の縁部１４ａ、１４ｂが開口した筒状にする。このとき、縁部１２ａ、１２ｂの一部を縫着しないことによって返し口１５（図３（ｂ）参照）を形成する。
【００３０】
（２）側部の筒状の第１生地の開口を閉じる工程
図３（ｂ）は、側部１０の筒状の第１生地１０ａの開口を閉じる工程である。図３（ｂ）は縫着前の状態を示している。図３（ｂ）に示すように、筒状の側部１０の第１生地１０ａの上下の開口する縁部１４ａ、１４ｂにそれぞれ、頂部２０の第２生地２０ａ、２０ｂの周縁部２２ａ、２２ｂを、縫い代をとって縫着する。このとき、頂部２０の第２生地２０ａ、２０ｂの裏である遠赤外線放射体３０のドットパターンの印刷面を外側にする。これにより、図４（ｃ）に示すように、側部１０の第１生地１０ａと頂部２０の第２生地２０ａ、２０ｂは、ドットパターンの印刷面である裏を外側にした袋体になる。
【００３１】
（３）袋体をひっくり返す工程
図４（ｃ）及び図４（ｄ）は、図４（ｃ）に示す袋体を、外側のドットパターンの印刷面が内側になるように、返し口１５により裏から表にひっくり返す工程である。図４（ｃ）は袋体を表にひっくり返す前の状態であり、図４（ｄ）は袋体をひっくり返した後の状態である。図４（ｄ）に示すように、袋体を表にひっくり返すと、ドットパターンが印刷された面が内側になり、ドットパターンが印刷されていない面が外側になる。図４（ｄ）では、内側のドットパターンを破線で示している。
【００３２】
（４）袋体を重ね合わせる工程
図５（ｅ）は、図４（ｄ）に示す袋体を、Ｇ−Ｇ線よりも下側の第２部分Ｓｂを上側の第１部分Ｓａの内側に折り込んで重ね合わせる工程である。図５（ｅ）は、第２部分Ｓｂを第１部分Ｓａに重ね合わせた後の状態であり、第２部分Ｓｂを破線で示している。図５（ｅ）に示すVI-VI断面図である、図６の矢印に示すように、第２部分Ｓｂの縁部１４ｂ（第２生地２０ｂの周縁部２２ｂ）が、第１部分Ｓａの縁部１４ａ（第２生地２０ａの周縁部２２ａ）に重なるように、Ｇ−Ｇ線で第２部分Ｓｂを第１部分Ｓａの内側に折り込んで重ね合わせる。そして、第１部分Ｓａの縁部１４ａ（第２生地２０ａの周縁部２２ａ）と第２部分Ｓｂの縁部１４ｂ（第２生地２０ｂの周縁部２２ｂ）を縫着する。その後、返し口１５を縫着して閉じる。
【００３３】
これにより、２重の生地から成る側部１０と頂部２０を備えた帽体２が形成される。すなわち、側部１０は第１生地１０ａの第１部分Ｓａと第２部分Ｓｂとで２重になると共に、頂部２０も第２生地２０ａと第２生地２０ｂとで２重になる。そして、側部１０では、第１生地１０ａの第１部分Ｓａと第２部分Ｓｂの遠赤外線放射体３０のドットパターンが、互いに対向する第１部分Ｓａの内側の表面と、第２部分Ｓｂの内側の表面にそれぞれ配置される。頂部２０においても、第２生地２０ａと第２生地２０ｂの遠赤外線放射体３０のドットパターンが、互いに対向する第２生地２０ａの内側の表面と、第２生地２０ｂの内側の表面にそれぞれ配置される。
【００３４】
（５）タックを形成する工程
なお、側部１０の両側の頭側部の一部にタック１８を形成してもよい。図５（ｆ）は、タック１８を形成する工程である。図７は、図５（ｆ）に示すVII-VII断面図である。図７では、遠赤外線放射体３０を省略している。図７に示すように、側部１０の頭側部の中間を、帽体２の周囲に沿って割り、タック１８の内側部分Ｑを縫着する。これにより、側部１０の両方の頭側部に立体的なタック１８が形成されたヘアーキャップ１が完成する。
【００３５】
このようなタック１８を形成することで、図５（ｆ）に示すように、ヘアーキャップ１の側部１０のうち、タック１８が形成されている部分（側頭部側）の高さｈが、形成されていない部分（前頭部側や後頭部側）の高さＨよりも低くなる。そのため、図１に示すように、ヘアーキャップ１を頭部に装着したときに、ヘアーキャップ１で前頭部と後頭部を深く覆うことができ、脱げ難くなる。また、前頭部側の側部１０が目を塞がないような形状を作ることが容易になる。図１ではヘアーキャップ１を装着したときに、耳まで覆う場合を例示しているが、前頭部と後頭部を深く覆いつつ、耳を出すことも可能となる。
【００３６】
（６）タグの縫着
また、図７に示すように、頂部２０の生地２０ｂの周縁部２２ｂの一部に、タグ１９を縫着してもよい。タグ１９は、ヘアーキャップ１をフックに引っ掛けたり、洗濯時、干すときに利用したり、名前タグとして用いたりすることができる。
【００３７】
（実施の形態の効果）
本実施の形態によれば、以下の作用、効果を奏する。
【００３８】
本実施形態によれば、２重の生地（第１生地１０ａの第１部分Ｓａと第２部分Ｓｂ）で構成される側部１０と、２重の生地（第２生地２０ａと第２生地２０ｂ）で構成される頂部２０の両方において、内側表面の両方に、遠赤外線放射体３０のドットパターンが配置される。そのため、２重の生地の内側表面の一方だけにドットパターンを形成する場合に比較して、遠赤外線放射体３０の面積の総和（各ドット面積の総和）を極めて大きくすることができるので、生地が重なった状態における単位面積当たりの遠赤外線放射量を増大させることができる。
【００３９】
しかも、生地を２重にしてその内側表面の両方にドットパターンを形成するので、生地の面積に対する遠赤外線放射体３０の面積の割合を増やさなくても、遠赤外線放射体３０の面積の総和を増やすことができる。これにより、ヘアーキャップ１の伸縮性や通気性を確保しながら、遠赤外線放射量を増加させることができる。また、外側の生地と内側の生地は接着されていないため、外側の生地と内側の生地との間に空気が入り、保温性が向上し、これによって遠赤外線放射体３０が暖まり易くなる。
【００４０】
また、図６の拡大図に示すように、側部１０における第１生地１０ａの第１部分Ｓａと第２部分Ｓｂでは、平面視において遠赤外線放射体３０のドットパターン同士が重なり合う。同様に、頂部２０における第２生地２０ａと第２生地２０ｂでは、平面視において遠赤外線放射体３０のドットパターンの全体同士が空間部を設けて重なり合う。すなわち、側部１０と頂部２０のドットパターンを構成する各ドットの全面が、平面視においてこれに対向する各ドットの全面と重なる。
【００４１】
この場合、仮に、平面視において対向する遠赤外線放射体３０のドットパターン全体がずれていたり、対向する各ドットの配列がずれていたりすると、一方の内側表面のドットが、他方の表面のうちドットがない部分にまで重なってしまう。このとき、各ドットのずれが大きいほど、ドットがない部分の面積が減少してしまって、通気性が悪くなる虞がある。この点、本実施形態によれば、２重にした生地の内側表面の各々に形成される遠赤外線放射体３０のドットパターン全体が平面視において重なるので、ドットがない部分の面積の減少を抑制できる。これにより、ヘアーキャップ１の通気性を確保し易いという利点もある。
【００４２】
また、本実施の形態の製造方法によれば、袋縫いによってヘアーキャップ１が製造されるので、表側の表面にも裏側の表面にも縫い代が出ないため、リバーシブルにすることも可能である。しかも、遠赤外線放射体３０がドットパターンはすべて、２重の生地の内側に配置されるので、表側の表面にも裏側の表面にも遠赤外線放射体３０が露出することはない。そのため、ヘアーキャップ１をリバーシブルとしても、頭部に装着したときに、遠赤外線放射体３０が頭被に直接触れることはない。
【００４３】
本実施形態に係るヘアーキャップ１においては、２重にした生地で構成される側部１０と、２重にした生地で構成される頂部２０とからなる帽体２を備え、２重にした生地のうち、互いに対向する内側の表面の各々に、遠赤外線を放射する遠赤外線放射体３０がドットパターンで付着される。
【００４４】
これにより、生地の面積に対する遠赤外線放射体３０の面積の割合を増やさなくても、遠赤外線放射体３０の面積の総和を増やすことができるので、ヘアーキャップ１の伸縮性や通気性を確保しながら、遠赤外線放射量を増加させることができる。なお、上述したように生地に対する生地の面積に対する遠赤外線放射体３０の面積の割合が大きくなり過ぎると、伸縮性や通気性が悪化する。したがって、生地の面積に対する遠赤外線放射体３０の面積の割合としては、２０％〜５０％程度が好ましい。
【００４５】
また、本実施形態によれば、ヘアーキャップ１の良好な伸縮性を保つことができるので、ゴムが不要でゴムの跡がつくようなこともなく、とても装着感のよいヘアーキャップ１を提供できる。また、互いに対向するドットパターンの両方を部分的に変えることで、遠赤外線放射量を増加させながら、ヘアーキャップ１の部分的な伸縮性も高めることができる。また、本実施形態のヘアーキャップ１では、遠赤外線放射量の多い海藻炭粉末を材料とする遠赤外線放射体３０を、ドットパターンで印刷した生地を用いているため、頭被全体に渡って高い遠赤外線放射効率を得ることができる。また、側部１０のＧ−Ｇ線上に継ぎ目や縫い目があると伸縮性が損なわれ、長時間の装着では皮膚に跡が付くようなことも起きるが、Ｇ−Ｇ線上の部分を継ぎ目や縫い目を設けずに輪にすることで、伸縮性が向上し、皮膚に跡が付くことも軽減される。
【００４６】
（変形例１）
また、本実施の形態の製造方法では、頂部２０については２枚の第２生地２０ａと第２生地２０ｂとで２重にし、側部１０については１枚の第１生地１０ａを折り返して２重にする場合を例示したが、これに限られるものではなく、頂部２０のみならず、側部１０についても２枚の生地で２重にするようにしてもよい。
【００４７】
（変形例２）
また、ヘアーキャップ１の製造方法は、上述したものに限られない。例えば本実施の形態の製造方法では、側部１０と頂部２０を袋体（図４（ｄ））にしてから、図５（ａ）に示すようにＧ−Ｇ線で折り返して重ねて２重にした場合を例示したが、側部１０と頂部２０を別々に、遠赤外線放射体３０のパターンを内側にして２重にしてから、両者を縫着するようにしてもよい。また、ヘアーキャップ１の製造方法として、袋縫いを用いずに製造してもよい。
【００４８】
（変形例３）
また、本実施の形態に係るヘアーキャップ１では、図６に示すように、側部１０と頂部２０のいずれにおいても、２重にした生地の内側表面の両方に遠赤外線放射体３０のドットパターンを形成する場合を例示したが、これに限られるものではなく、側部１０と頂部２０のいずれか一方において、２重にした生地の一方の内側表面にのみ遠赤外線放射体３０のドットパターンを形成するようにしてもよい。
【００４９】
例えば図８に示すように、側部１０では２重にした生地の内側表面の両方に遠赤外線放射体３０のドットパターンを形成し、頂部２０では２重にした生地の内側表面のいずれか一方のみに、遠赤外線放射体３０のドットパターンを形成するようにしてもよい。図８では、頂部２０の第２生地２０ｂのみにドットパターンを形成した場合を例示しているが、頂部２０の第２生地２０ａのみにドットパターンを形成するようにしてもよい。
【００５０】
（変形例４）
また、図９に示すように、頂部２０では２重にした生地の内側表面の両方に遠赤外線放射体３０のドットパターンを形成し、側部１０では２重にした生地の内側表面のいずれか一方のみに、遠赤外線放射体３０のドットパターンを形成するようにしてもよい。図９では、側部１０の第１生地１０ａの第２部分Ｓｂのみにドットパターンを形成した場合を例示しているが、側部１０の第１生地１０ａの第１部分Ｓａのみにドットパターンを形成するようにしてもよい。
【００５１】
（変形例５）
また、本実施形態のヘアーキャップ１では、帽体２を、側部１０と頂部２０で構成し、側部１０を筒状にして、頂部２０で筒状の開口を閉じるようにした場合を例示したが、これに限られるものではない。例えば帽体２を側部１０のみで構成し、側部１０が頂部２０も兼ねるような形状にしてもよい。
【００５２】
（変形例６）
また、ドットパターンのうち全てのドットが重ならなくてもよく、一部のドットが重なっていればよい。例えば、一部でも重なっているドットの割合は、全ドット数の５０％以上が好ましく、８０％以上がより好ましい。
【００５３】
（変形例７）
また、本実施形態では、帽体２を２重にした生地で構成したが、３重以上にしてもよい。３重以上に重ねられた生地のうち少なくとも２枚の生地の互いに対向する面に遠赤外線放射体を形成すればよい。
【００５４】
（変形例８）
また、本実施形態のヘアーキャップ１をナイトキャップとして説明したが、外出用の帽子に適用してもよい。この場合、前方又は全周に鍔を設けてもよい。
【００５５】
（変形例９）
また、本実施形態のヘアーキャップ１では、複数の遠赤外線放射体３０をドットパターンで生地に形成した場合について説明したが、所定のパターンとして、直線が繰り返された直線パターン、ジグザグのラインが繰り返されたジグザグパターン等の他のパターンでもよい。直線パターンの場合は、２重の生地のうち外側の生地に形成した直線パターンと内側の生地に形成した直線パターンが交差するように形成してもよいし、表側の生地に形成した直線パターンと内側の生地に形成した直線パターンが方向を同じにして重なるようにしてもよい。ジグザグパターンについても直線パターンと同様にラインが交差するようにしてもよいし、パターン全体が重なるようにしてもよい。
【符号の説明】
【００５６】
１・・・ヘアーキャップ、２・・・帽体、１０・・・側部、１０ａ・・・第１生地、
Ｓａ・・・第１部分、Ｓｂ・・・第２部分、１２ａ、１２ｂ・・・縁部、
１４ａ、１４ｂ・・・縁部、１５・・・返し口、１８・・・タック、１９・・・タグ、
２０・・・頂部、２０ａ、２０ｂ・・・第２生地、２２ａ、２２ｂ・・・周縁部、
３０・・・遠赤外線放射体
【図１】
2017115261.tif 000003
【図２】
2017115261.tif 000004
【図３】
2017115261.tif 000005
【図４】
2017115261.tif 000006
【図５】
2017115261.tif 000007
【図６】
2017115261.tif 000008
【図７】
2017115261.tif 000009
【図８】
2017115261.tif 000010
【図９】
2017115261.tif 000011